(57)【要約】【課題】  開口部たる窓枠に換気窓の駆動用リンクに干渉することなく網を展張でき、しかもこの展張作業を温室の室内側から行うことができるようにした温室の換気装置を提供すること。【解決手段】  屋根面，側面又は妻面に設けた窓枠１と、窓枠１に対向して開閉自在に設けた換気窓２と、窓枠１の内側中央に架設したガイド支柱３と、ガイド支柱３に移動自在に取付けたスライダー５と、換気窓２とスライダー５との間に結合したリンク６と、スライダー５に結合されて当該スライダー５を引き上げながら換気窓２を開かせる開用ロープ７とを備えている温室の換気装置において、窓枠１の内側中央に上記ガイド支柱３と対向してガイドフレーム１０を架設し、当該ガイドフレーム１０に軸方向に沿って形成したガイドスリット１１内に上記リンク６をスライド自在に挿入し、同じく上記ガイドスリット１１内に上記換気窓２に結合した閉じ用ロープ８を挿入させたことを特徴とする。【選択図】        図１
2006254778.tif 000002
【特許請求の範囲】
【請求項１】
屋根面，側面又は妻面に設けた窓枠と、窓枠に対向して開閉自在に設けた換気窓と、窓枠の内側中央に架設したガイド支柱と、ガイド支柱に移動自在に取付けたスライダーと、換気窓とスライダーとの間に結合したリンクと、スライダーに結合されて当該スライダーを引き上げながら換気窓を開かせる開用ロープとを備えている温室の換気装置において、窓枠の内側中央に上記ガイド支柱と対向してガイドフレームを架設し、当該ガイドフレームに軸方向に沿って形成したガイドスリット内に上記リンクをスライド自在に挿入し、同じく上記ガイドスリット内に上記換気窓に結合した閉じ用ロープを挿入させたことを特徴とする温室の換気装置。
【請求項２】
窓枠の内側に当該窓枠を構成する枠体に沿って蟻溝を形成し、上記蟻溝に係止線条を介して温室の室内より網の外周を定着させたことを特徴とする請求項１に記載の温室の換気装置。
【請求項３】
ガイド支柱とガイドフレームとが窓枠の内側中央上下に起立する上下一対のブラケットを介して架設され、各ブラケットに回転自在に軸支したシーブを介して開用ロープと閉用ロープとが温室の室内下方に引寄せられている請求項１又は２に記載の温室の換気装置。
【請求項４】
換気窓の内側端部中央に引掛用ブラケットを突設し、他方スライダーに上記引掛用ブラケットに対応するフックを設け、換気窓の全閉時にフックを引掛用ブラケットに係止させるようにしている請求項１，２又は３に記載の温室の換気装置。
【請求項５】
リンクは換気窓を形成する枠体の中央に設けた支持材に回転自在に結合した二又のアームと、スライダーに回転自在に軸支されて上記アームの基端に結合した駆動アームとで構成されている請求項１，２,３又は４に記載の温室の換気装置。
【請求項６】
ガイド支柱に複数個所切欠きを形成し、スライダーに上記切欠きの一つと選択的に係合するラッチを設け、ラッチかいずれかの切欠きと係合した時当該切欠きの位置でスライダーを停止させることにより換気窓を全開，半開，全閉させるようにしている請求項１，２，３，４又は５に記載の温室の換気装置。
【発明の詳細な説明】
【技術分野】
【０００１】
本発明は、ビニールハウス等の温室の妻面，側面又は屋根面等に形成した温室の換気装置に関する。
【背景技術】
【０００２】
一般に、ビニールハウス等の温室内は育成する植物に対して適温に設定する必要があり、そのため、ハウスの妻面、側面又は屋根面に開口部たる窓枠に対向して開閉自在な換気窓を形成し、この換気窓の開閉によって温室内の空気を換気させる換気装置が設けられている。
【０００３】
更に、上記開口部を開口した時この開口部から害虫が温室内に侵入するのを防止したり、又は温室内で飼育している蜜蜂等が外部に逃げるのを防止する網を開口部たる窓枠に展張するのが普通である。
【０００４】
上記の換気装置としては、例えば、特許文献１に開示されたようなものが開発されている。
【０００５】
この換気装置は、温室の妻面に設けた窓枠と、窓枠に対向して開閉自在に設けた換気窓と、窓枠の内側中央に架設したガイド支柱と、ガイド支柱に移動自在に取付けたスライダーと、換気窓とスライダーの両側部との間に結合したリンクと、スライダーに結合されて当該スライダーを引き上げながら換気窓を開かせる開用ロープと、換気窓に結合されてスライダーを引き下げながらこの換気窓を閉じさせる閉用ローブとを備えている。
【０００６】
そして、温室内の下方から開閉ロープを引張ると、スライダーがガイド支柱に沿って引き上げられ、このスライダーと連動してリンクを介して換気窓が開く。この全開又は半開した状態の換気窓を閉じる時は同じく温室内下方で閉用ロープを引張り込むと、換気窓が閉じ方向に引き寄せられ、スライダーはこの換気窓に連動してリンクを介して下降する。
【特許文献１】実開平４‐９４０８０号公報（図１，図２）
【発明の開示】
【発明が解決しようとする課題】
【０００７】
上記特許文献１に開示されている温室の換気装置では機能上得に欠陥があるわけではないが、次のような改善が望まれている。
【０００８】
即ち、開口部たる窓枠には網が展張されていないので、換気窓が開いている時には外部から害虫が温室内に侵入して育成している植物を喰いあらすおそれがあり、又、逆に温室内で飼育している蜜蜂等が外部に逃げ出してしまうおそれがある。
【０００９】
そこで、上記害虫の侵入や蜜蜂等が逃げるのを防止するために開口部たる窓枠に網を展すれば良いが、この場合スライダーの両側部に結合したリンクが窓枠を貫通して換気窓に結合しているため、このリンクが展張しょうとする網と干渉してしまい、窓枠の全域に亘って展張することが出来ない不具合がある。
【００１０】
更にリンクと干渉しない位置のみに網を展張する場合においても、展張の作業は温室の室内から行った方が作業性が向上し、雨天等の天気条件にもかかわらず行うことができ、外部より室内側の方が安全であるが、上記従来の換気装置では温室の室内側から網の展張を行う手段が無く、別途この取付手段を設ける必要があり、構造が複雑化し、加工性，組付姓，経済性において不利である。
【００１１】
そこで、本発明の目的は、開口部たる窓枠に換気窓の駆動用リンクに干渉することなく網を展張でき、しかもこの展張作業を温室の室内側から行うことができるようにした温室の換気装置を提供することである。
【課題を解決するための手段】
【００１２】
上記の目的を達成するため、本発明の手段は、屋根面，側面又は妻面に設けた窓枠と、窓枠に対向して開閉自在に設けた換気窓と、窓枠の内側中央に架設したガイド支柱と、ガイド支柱に移動自在に取付けたスライダーと、換気窓とスライダーとの間に結合したリンクと、スライダーに結合されて当該スライダーを引き上げながら換気窓を開かせる開用ロープとを備えている温室の換気装置において、窓枠の内側中央に上記ガイド支柱と対向してガイドフレームを架設し、当該ガイドフレームに軸方向に沿って形成したガイドスリット内に上記リンクをスライド自在に挿入し、同じく上記ガイドスリット内に上記換気窓に結合した閉じ用ロープを挿入させたことを特徴とする。
【００１３】
この場合、窓枠の内側に当該窓枠を構成する枠体に沿って蟻溝を形成し、上記蟻溝に係止線条を介して温室の室内より網の外周を定着させるのが好ましい。
【００１４】
この場合、ガイド支柱とガイドフレームとが窓枠の内側中央上下に起立する上下一対のブラケットを介して架設され、各ブラケットに回転自在に軸支したシープを介して開用ロープと閉用ロープとが温室の室内下方に引寄せられるようにするのが好ましい。
【００１５】
同じく、換気窓の内側端部中央に引掛用ブラケットを突設し、他方スライダーに上記引掛用ブラケットに対応するフックを設け、換気窓の全閉時にフックを引掛用ブラケットに係止させるようにしても良い。
【００１６】
同じく、リンクは、換気窓を形成する枠体の中央に設けた支持材に回転自在に結合した二又のアームと、スライダーに回転自在に軸支されて上記アームの基端に結合した駆動アームとで構成されているのが好ましい。
【００１７】
同じく、ガイド支柱に複数個所切欠きを形成し、スライダーに上記切欠きの一つと選択的に係合するラッチを設け、ラッチがいずれかの切欠きと係合した時当該切欠きの位置でスライダーを停止させることにより換気窓を全開，半開，全閉させるようにしても良い。
【発明の効果】
【００１８】
本発明によれば、次の効果が得られる。
【００１９】
１)各請求項の発明によれば、換気窓の開閉用のリンクがガイドフレームに形成したガイドスリット内にスライド自在に挿入され、しかもこのガイドスリットの部位には網が展張されていないので、このリンクが網と干渉することなくガイドフレームの両側における窓枠の全域に網を展張できる。
【００２０】
２)請求項２の発明によれば、窓枠の室内側である内側に当該窓枠を構成する枠体に沿って蟻溝が形成されているのでこの蟻溝を利用して温室内から網の展張作業が行える。従って、この展張作業は、雨，雪，風の天気に影響されることなく行え、又、外部の障害物に影響されずに行うことができるから安全であり、作業性も向上する。
【００２１】
３)請求項３の発明によれば、シーブを介して開用ロープと閉用ロープを引寄せて行うため、この牽引操作がスムースに行える。
【００２２】
４)請求項４の発明によれば、換気窓の全閉時にフックが換気窓側のブラケットに係止されるので、風や振動が換気窓に作用してもこの換気窓が開くのを防止できる。
【００２３】
５)請求項５の発明によれば、リンクが回転自在な二又のアームとこれに結合した回転自在な駆動アームとで構成されているから、換気窓の開閉に伴って各アームが回転方向に変位し、換気窓をスムースに開閉できる。
【００２４】
６)請求項６の発明によれば、ガイド支柱に複数個の切欠きを形成し、この切欠き位置でスライダーを停止できるので、換気窓を全開位置から全閉位置に亘って換気窓の開き量を調整でき、従って温室内の温度，湿度をその都度調整できる。
【発明を実施するための最良の形態】
【００２５】
以下、本発明の実施形態を図にもとづいて説明するが、本発明の換気装置は、ビニールハウス等の温室における妻面，側面，屋根面のいずれか又は全部に設けるものである。
【００２６】
図１乃至図４は、妻面に設けた実施の形態を示し、図５は、屋根面に設けた実施の形態を示す。
【００２７】
図５の実施の形態は、構造が妻面に設けたものと同じであるので、同一の構造は同一の符号を符すことで詳細は省略する。
【００２８】
以下妻面に設けた換気装置を図１乃至図４にもとづいて説明するが、本発明の温室の換気装置Ａは、従来と同じく、妻面に設けた開口部たる窓枠１と、窓枠１に対向してヒンジにより開閉自在に設けた換気窓２と、窓枠１のハウス内である内側中央に架設したガイド支柱３と、ガイド支柱３に移動自在に取付けたスライダー５と、換気窓２とスライダー５との間に結合したリンク６と、スライダー５に結合されて当該スライダー５を引き上げながら換気窓２を開かせる開用ロープ７と、換気窓２を閉じ方向に引張る閉用ロープ８とを備えている。
【００２９】
そして、本発明では、更に窓枠１に展張した網９とを備え、更に窓枠１の内側に当該窓枠１を構成する枠体１Ａに沿って蟻溝ａ，ｂ，ｃ，ｄを形成し、同じく窓枠１の内側中央に上記ガイド支柱３と対向してガイドフレーム１０を架設し、当該ガイドフレーム１０に軸方向に沿って形成したガイドスリット１１内に上記リンク６をスライド自在に挿入し、同じく上記ガイドスリット１１内に上記換気窓２の端部中央に結合した閉じ用ロープ８を挿入させ、更に上記蟻溝ａ，ｂ，ｃ，ｄに係止線条１２を介して温室の室内より上記網９の外周を定着させている。
【００３０】
更に、ガイド支柱３とガイドフレーム１０とが窓枠１の内側中央上下に起立する上下一対のブラケット１３，１４を介して架設され、各ブラケット１３，１４の端部中央に軸２４，２５を介して回転自在に軸支したシーブ１５，１６を介して開用ロープ７と閉用ロープ８とが温室の室内下方に引寄せられるようになっている。
【００３１】
図２および図３に示すように、換気窓２を形成する枠体２Ａの内側端部中央に引掛用ブラケット１７を突設し、他方スライダー５に上記引掛用ブラケット１７に対応するフック１８を設け、換気窓２の全閉時にフック１８を引掛用ブラケット１７に係止させ、風，振動が換気窓２に作用してもこの換気窓２がかってに開かないようにしている。
【００３２】
リンク６は、換気窓２を形成する枠体２Ａの中央に設けた支持材１９，２０に回転自在に結合したＶ字状に延びる二又のアーム２１，２１と、スライダー５に回転自在に軸支されて上記アーム２１，２１の基端２１Ａに結合した駆動アーム２２とで構成されている。
【００３３】
更に、図２および図４に示すように、ガイド支柱３に複数個所切欠き２３を形成し、スライダー５内に上記切欠き２３の一つと選択的に係合するラッチ(図示せず)を設け、ラッチがいずれかの切欠き２３と係合した時当該切欠き２３の位置でスライダー５を停止させることにより換気窓２を全開，半開，全閉させるようにしている。
【００３４】
窓枠１は、図３に示すように、枠体１Ａで長方体に形成され、この枠体１Ａの室内側である内側にはこの枠体１Ａに沿って蟻溝ａ，ｂ，ｃ，ｄが形成され、更にこの枠体１Ａの室外側である外側にも枠体１Ａに沿って他の蟻溝ｅが形成され、内側の各蟻溝ａ，ｂ，ｃ，ｄには係止線条１２を介して網９の周囲を定着して窓枠１の内側に網９を展張している。
【００３５】
同じく、図２に示すように、この網９の中央はガイドフレーム１０の両側に設けた蟻溝ｆ，ｆに係止線条１２を介して定着させており、更に上記外側の蟻溝ｅにはビニールハウス自体に展張した透明シートを定着させている。
【００３６】
換気窓２は、図１に示すように、枠体２Ａにより窓枠１に対応して長方体状に形成し、各枠体２Ａの外側と各支持材１９，２０にはこの枠体２Ａと支持材１９，２０に沿って蟻溝ｇには係止線条１２を介して透明シートＳを定着させている。
【００３７】
窓枠１における上下一対の枠体１Ａ，１Ａの内側上下中央にブラケット１３，１４を起立し、このブラケット１３，１４にガイド支柱３とガイドフレーム１０を間隔あけて二段に取付けている。
【００３８】
スライダー５は、内側のローラを介してガイド支柱３に移動自在に取付けられ、このスライダー５の上端に設けたブラケット２６に開用ロープ７の端部が結合され、このロープ２６は、ブラケット１３に設けたシーブ１５に巻かれながら室内下方に延びている。
【００３９】
図４に示すように、スライダー５には軸２７を介して回転自在に結合した駆動アーム２２と傾斜するフック１８とが設けられており、駆動アーム２２に基端２１Ａが結合されたアーム２１，２１の先端は換気窓２側の二つの支持材１９，２０にそれぞれブラケット２８，２９を介して回転自在に結合されている。
【００４０】
閉用ロープ８を結合する換気窓２側のブラケット１７は、図２に示すようにコ字状のフレーム１７Ａとフレーム１７Ａ中央の支持片１７Ｂとフレーム１７Ａに架設したロッド１７Ｃとからなり、支持片１７Ｂに閉用ロープ８の端部が結合され、換気窓２の全閉時にロッド１７Ｃにスライダー５側のフック１８が係合するようになっている。
【００４１】
次に作動について説明すると、換気窓２が閉じている状態において、温室の室内下方から開用ロープ７を引張り込むと、強制的にフック１８がブラケット１７のロッド１７Ｃからはずれると共にスライダー５がガイド支柱３に沿って上昇する。この時、スライダー５側の駆動アーム２２がガイドスリット１１に沿って上昇し、これにより二又アーム２１，２１が角度を変位させながら押し上げられ、その結果、二又アーム２１，２１を介して換気窓２が押し開かれる。
【００４２】
この時スライダー５を任意の切欠き２３の位置を停止するとこの切欠き２３の位置に対応して半開又は全開状態となって停止する。
【００４３】
他方全開，半開状態の換気窓２を閉じる場合には閉用ロープ８を温室内下方から引張ると、換気窓２自体が閉じ方向に引き寄せられ、これに連動してリンク６が角度を変位して下方に引き寄せられ、同様にスライダー５もガイド支柱３に沿って下降する。
【００４４】
全閉位置では、図４に示すように、換気窓２の枠体２Ａが窓枠１の枠体１Ａに当接して全閉となり、この時自動的にフック１８がブラケット１７におけるロッド１７Ｃに係合し、全閉状態を維持させる。
【００４５】
図５には換気装置Ａを温室の屋根面に取付けた状態が示されているが、この換気装置Ａは、取付け位置が屋根面にあるだけで、構造，作用，効果は図１のものと同じである。
【図面の簡単な説明】
【００４６】
【図１】温室の妻面に設けた換気装置の斜視図である。
【図２】図１の一部拡大斜視図である。
【図３】図１の一部拡大分解斜視図である。
【図４】図１のリンク機構の作動状態を示す拡大側面図である。
【図５】温室の屋根面に設けた換気装置の斜視図である。
【符号の説明】
【００４７】
１  窓枠
２  換気窓
２Ａ  枠体
３  ガイド支柱
５  スライダー
６  リンク
７  開用ロープ
８  閉用ロープ
９  網
１０  ガイドフレーム
１１  ガイドスリット
１２  係止線条
１３，１４，１７  ブラケット
１５，１６  シーブ
１８  フック
１９，２０  支持材
２１  アーム
２２  駆動アーム
２３  切欠き
ａ，ｂ，ｃ，ｄ  蟻溝
【図１】
2006254778.tif 000003
【図２】
2006254778.tif 000004
【図３】
2006254778.tif 000005
【図４】
2006254778.tif 000006
【図５】
2006254778.tif 000007